【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
干渉型光変調デバイスを具備するディスプレイデバイスであって、前記干渉型光変調デバイスは、
部分的反射部と、
温度変化に反応して前記部分的反射部に関して移動する熱反応性移動可能部と、
前記部分的反射部と前記移動可能部との間の距離を変えるために前記移動可能部を加熱するように構成された熱源と、を具備するディスプレイデバイス。
【請求項２】
前記熱源は、前記移動可能部と接触している、請求項１に記載のディスプレイデバイス。
【請求項３】
前記熱源は、抵抗加熱器である、請求項２に記載のディスプレイデバイス。
【請求項４】
前記抵抗加熱器は、金属ワイヤを具備する、請求項３に記載のディスプレイデバイス。
【請求項５】
前記熱源は、間に配置されておりさらに前記金属ワイヤを前記移動可能部から電気的に絶縁させる誘電材料を具備する、請求項４に記載のディスプレイデバイス。
【請求項６】
前記誘電材料は、酸化物である、請求項５に記載のディスプレイデバイス。
【請求項７】
前記金属は、ニッケル、クロム、ニッケル合金、クロム合金及びニッケル−クロム合金を具備するグループから選択される、請求項５に記載のディスプレイデバイス。
【請求項８】
前記移動可能部は、ニッケル、アルミニウム、ニッケル合金、アルミ合金、ニッケル−アルミ合金、金、プラチナ、ロジウム、銅及び銀を具備するグループから選択された熱反応性材料を具備する、請求項１に記載のディスプレイデバイス。
【請求項９】
前記移動可能部は、前記熱反応性材料層を具備する、請求項８に記載のディスプレイデバイス。
【請求項１０】
前記移動可能部は、少なくとも２つの材料層を具備し、前記材料層は、異なった熱膨張係数を有する、請求項１に記載のディスプレイデバイス。
【請求項１１】
前記移動可能部は、バイメタルサンドイッチ構造を具備する、請求項１０に記載のディスプレイデバイス。
【請求項１２】
前記バイメタルサンドイッチ構造は、ニッケル又は銅を具備する層及び鉄又はチタンを具備するもう１つの層を具備する、請求項１１に記載のディスプレイデバイス。
【請求項１３】
前記移動可能部は、熱反応性材料を具備する支持体に一定の間隔を持たせて取り付けられている鏡である、請求項１に記載のディスプレイデバイス。
【請求項１４】
前記部分的反射部は、固定された位置を有する、請求項１に記載のディスプレイデバイス。
【請求項１５】
前記熱源と電気的に通じているプロセッサであって、画像データを処理するように構成されているプロセッサと、
前記プロセッサと電気的に通じているメモリ装置と、をさらに具備する、請求項１に記載のディスプレイデバイス。
【請求項１６】
少なくとも１つの信号を前記熱源に送るように構成された第１のコントローラと、
前記画像データの少なくとも一部分を前記第１のコントローラに送るように構成された第２のコントローラと、をさらに具備する、請求項１５に記載のディスプレイデバイス。
【請求項１７】
前記画像データを前記プロセッサに送るように構成された画素ソースモジュールをさらに具備する、請求項１５に記載のディスプレイデバイス。
【請求項１８】
前記画像ソースモジュールは、受信機、トランシーバ、及び送信機のうちの少なくとも１つを具備する、請求項１７に記載のディスプレイデバイス。
【請求項１９】
入力データを受け取りさらに前記入力データを前記プロセッサに伝達するように構成された入力デバイスをさらに具備する、請求項１５に記載のディスプレイデバイス。
【請求項２０】
複数の微小機械表示素子を具備するディスプレイデバイスであって、各表示素子は、
透過層と、
前記透過層と平行でありさらに熱反応性材料によって前記透過層から一定の間隔を持たせて支持されている反射層と、
前記熱反応性材料と熱的に通じている加熱素子と、を具備するディスプレイデバイス。
【請求項２１】
前記加熱素子は、抵抗加熱器である、請求項２０に記載のディスプレイデバイス。
【請求項２２】
各表示素子は、前記加熱器に電気的に結合されたスイッチをさらに具備し、前記スイッチは、前記加熱器内を流れる電流を調整し、それによって前記加熱器の温度を調節する、請求項２１に記載のディスプレイデバイス。
【請求項２３】
前記スイッチは、トランジスタである、請求項２２に記載のディスプレイデバイス。
【請求項２４】
各表示素子に関する前記スイッチは、独立して制御可能である請求項２２に記載のディスプレイデバイス。
【請求項２５】
前記表示素子は、グループ別に構成されており、各グループに関する前記加熱器に電気的に結合されたスイッチは、前記加熱器内を流れる電流を調整し、それによって前記加熱器の温度を調節するように構成されている、請求項２１に記載のディスプレイデバイス。
【請求項２６】
前記グループは、表示素子ロー又は表示素子コラムを具備する、請求項２５に記載のディスプレイデバイス。
【請求項２７】
前記加熱素子に熱エネルギーを提供するための熱源をさらに具備し、前記加熱素子は、熱吸収材料を具備する、請求項２０に記載のディスプレイデバイス。
【請求項２８】
ディスプレイデバイスにおいて電磁放射線を変調する方法であって、
温度変化に反応して移動する熱反応性部と、温度モジュレータと、第１の部分的反射面と、前記第１の反射面から一定の間隔を持たせて配置され、前記第１の表面に概して平行な第２の反射面と、を具備する微小機械デバイスを前記ディスプレイデバイス内に提供することであって、前記熱反応性部の移動は、前記第１の表面と前記第２の表面との間の距離を変化させる微小機械デバイス、を提供することと、
前記温度モジュレータを調整して前記熱反応性部の温度を変化させ、それによって前記第１の表面と前記第２の表面との間の距離を変えること、とを具備する方法。
【請求項２９】
前記距離を変えることは、前記第１の表面及び前記第２の表面に当たる電磁波の干渉挙動を変える、請求項２８に記載の方法。
【請求項３０】
前記電磁波は、可視光波である、請求項２９に記載の方法。
【請求項３１】
前記距離を変えることは、希望される光周波数を中心とする建設的干渉を作り出す、請求項３０に記載の方法。
【請求項３２】
前記距離を変えることは、複数の希望される光周波数を中心とする建設的干渉を作り出すために前記第１の表面を前記第２の表面から複数の距離の地点に配置することを具備する、請求項３０に記載の方法。
【請求項３３】
前記温度を変化させることは、前記温度モジュレータから前記熱反応性部に熱を伝えることを具備する、請求項２８に記載の方法。
【請求項３４】
前記熱を伝えることは、前記熱反応性部を熱伝導により加熱することを具備し、前記温度モジュレータは、抵抗加熱器である、請求項３３に記載の方法。
【請求項３５】
前記温度モジュレータを調整することは、前記抵抗加熱器に流れる電流レベルを３つ以上のレベルの間で変えることを具備する、請求項３４に記載の方法。
【請求項３６】
ディスプレイデバイスの微小機械デバイスを製造する方法であって、
第１の反射層を形成することと、
前記第１の反射層から一定の間隔を持たせて配置された第２の反射層を形成することと、
前記第２の反射層と熱的に通じている加熱素子を形成すること、とを具備する方法。
【請求項３７】
前記第２の反射層は、熱膨張性金属を具備する、請求項３６に記載の方法。
【請求項３８】
前記加熱素子と前記熱膨張性金属との間に電気的絶縁体を形成することをさらに具備する、請求項３７に記載の方法。
【請求項３９】
前記加熱素子を形成することは、金属ワイヤを形成することを具備する、請求項３６に記載の方法。
【請求項４０】
前記第１の反射層及び前記第２の反射層のうちの少なくとも１つは、部分的に透明である、請求項３６に記載の方法。
【請求項４１】
請求項３６に記載の方法によって形成されたインターフェロメトリックモジュレータ。
【請求項４２】
インターフェロメトリックモジュレータを具備するディスプレイデバイスであって、前記インターフェロメトリックモジュレータは、
透過層と、
反射層と、
熱エネルギーを用いて前記反射層の移動を行うための手段と、を具備するディスプレイデバイス。
【請求項４３】
インターフェロメトリックモジュレータを具備するディスプレイデバイスであって、前記インターフェロメトリックモジュレータは、
光を部分的に反射させるための第１の手段と、
温度変化に反応して前記第１の部分的反射手段に関して移動するように構成された、光を反射させるための第２の手段と、
前記第１の部分的反射手段と前記第２の反射手段との間の距離を変化させるために前記第２の反射手段を加熱するための手段と、を具備するディスプレイデバイス。
【請求項４４】
前記第１の部分的反射手段は、部分的反射面を具備する、請求項４３に記載のディスプレイデバイス。
【請求項４５】
前記第２の反射手段は、反射面を具備する、請求項４３に記載のディスプレイデバイス。
【請求項４６】
前記加熱するための手段は、熱源を具備する、請求項４３に記載のディスプレイデバイス。